(57)【特許請求の範囲】
【請求項１】
搬送路に沿って処理対象物を搬送する搬送手段と、
前記搬送路に設けられ、前記搬送手段により搬送される前記処理対象物を処理する第１処理手段と、
前記処理対象物が搬送される搬送路の前記第１処理手段の下流に設けられた第２処理手段と、
前記第１処理手段の処理結果に基づいて決定された動作内容に従って、前記第２処理手段によって前記処理対象物を処理させる処理制御手段と、
前記第２処理手段の処理が開始される前に、前記処理対象物が前記第２処理手段に達している場合、第１処理手段の処理結果に基づいて動作内容が決定された後に、前記第２処理手段の処理位置または処理位置の前まで前記処理対象物を前記搬送手段によって上流に搬送させる搬送制御手段と、
を備えることを特徴とする媒体処理装置。
【請求項２】
前記第２処理手段は、前記第１処理手段が前記処理対象物の処理を終えた時点で前記処理対象物が前記第２処理手段の処理位置より下流に達する位置に設けられたことを特徴とする請求項１記載の媒体処理装置。
【請求項３】
前記第１処理手段の処理結果に基づいて、処理後の動作内容を決定する動作決定手段を備えることを特徴とする請求項１または２に記載の媒体処理装置。
【請求項４】
前記処理対象物が排出される複数の排出部を備え、
前記第２処理手段は、前記処理対象物の搬送経路に繋がる前記排出部を切り替える切替部として構成され、
前記処理制御手段は、前記第１処理手段の処理結果に基づいて決定される前記複数の排出部のいずれかに前記読取対象物を排出させるように前記切替部を動作させることを特徴とする請求項１から３のいずれかに記載の媒体処理装置。
【請求項５】
前記第１処理手段は、前記処理対象物に画像を記録する記録手段であることを特徴とする請求項１から４のいずれかに記載の媒体処理装置。
【請求項６】
前記第１処理手段は、前記処理対象物に記録された情報を読み取る読み取り部であることを特徴とする請求項１から４のいずれかに記載の媒体処理装置。
【請求項７】
搬送路に沿って処理対象物を搬送し、前記搬送路に設けられた第１処理手段によって処理を行い、
処理結果に基づいて、処理後の動作内容を決定し、
決定した動作内容に従って、前記処理対象物の搬送路の前記第１処理手段の下流に設けられた第２処理手段により、前記処理対象物を処理し、
前記第２処理手段の処理が開始される前に、前記処理対象物が前記第２処理手段に達している場合、動作内容を決定した後に、前記第２処理手段の処理位置または処理位置の前まで前記処理対象物を上流に搬送すること、
を特徴とする媒体処理装置の制御方法。
【請求項８】
搬送路に沿って処理対象物を搬送し、前記搬送路に設けられた第１処理手段によって前記処理対象物に処理を行う媒体処理装置を制御する制御部が実行するプログラムであって、
前記制御部を、
前記処理対象物の搬送路の前記第１処理手段の下流に設けられた第２処理手段によって、前記第１処理手段の処理結果に基づいて決定された処理後の動作内容に従って前記処理対象物を処理させる処理制御手段と、
前記第２処理手段の処理が開始される前に、前記処理対象物が前記第２処理手段に達している場合、前記処理後の動作内容が決定された後に、前記第２処理手段の処理位置または処理位置の前まで前記処理対象物を前記搬送手段によって上流に搬送させる搬送制御手段と、
して機能させるためのプログラム。
【発明の詳細な説明】
【技術分野】
【０００１】
本発明は、媒体処理装置、媒体処理装置の制御方法、及び、プログラムに関する。
【背景技術】
【０００２】
従来、伝票等の読取対象物から情報を読み取り、読取結果に応じて排出先を切り替える装置が知られている（例えば、特許文献１参照）。特許文献１の装置は、読取対象物であるシートからバーコードを読み取って、読み取りに成功したシートは正常シートとし、読み取りに失敗したシートは不良シートと判定する。そして、切換ゲートを動作させてシートの搬送先を切り替え、正常シートと不良シートを異なる排出部に排出する。
また、小切手等の媒体を搬送すると共に、搬送中、媒体に画像を記録する媒体処理装置が知られている（例えば、特許文献２参照）。この種の媒体処理装置では、収納部に複数枚の媒体を収納し、これら複数枚の媒体に対して、搬送、及び、記録を含む一連の処理を連続して実行するものがある。
【先行技術文献】
【特許文献】
【０００３】
【特許文献１】特開平９−６２７９８号公報
【特許文献２】特開２００２−２５５３９３号公報
【発明の概要】
【発明が解決しようとする課題】
【０００４】
ところで、特許文献１の装置のように処理後の処理対象物に対して別の処理を加える場合、先の処理が終わる前に、処理対象物が次の処理を行う位置に達してしまうと、次の処理を行えない。このため、上記従来の装置は、処理を行う位置までの処理対象物の搬送路を長く確保する必要があった。また、小切手等の媒体を搬送すると共に、搬送中、媒体に画像を記録する媒体処理装置においても、記録結果に応じて、媒体に対する処理を変える場合も、処理を行う位置までの搬送路を長く確保する必要があり、小型化が困難であった。
本発明は、上述した事情に鑑みてなされたものであり、処理対象物を処理し、処理結果に応じて処理対象物に次の処理を施す媒体処理装置を小型化できるようにすることを目的とする。
【課題を解決するための手段】
【０００５】
上記目的を達成するために、本発明は、搬送路に沿って処理対象物を搬送する搬送手段と、前記搬送路に設けられ、前記搬送手段により搬送される前記処理対象物を処理する第１処理手段と、前記処理対象物が搬送される搬送路の前記第１処理手段の下流に設けられた第２処理手段と、前記第１処理手段の処理結果に基づいて決定された動作内容に従って、前記第２処理手段によって前記処理対象物を処理させる処理制御手段と、前記第２処理手段の処理が開始される前に、前記処理対象物が前記第２処理手段に達している場合、第１処理手段の処理結果に基づいて動作内容が決定された後に、前記第２処理手段の処理位置または処理位置の前まで前記処理対象物を前記搬送手段によって上流に搬送させる搬送制御手段と、を備えることを特徴とする。
本発明によれば、処理対象物に記録された情報の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、搬送路長や各部の配置に関する制約を緩和できるので、装置の小型化が容易になる。
【０００６】
また、本発明は、上記媒体処理装置において、前記第２処理手段は、前記第１処理手段が前記処理対象物の処理を終えた時点で前記処理対象物が前記第２処理手段の処理位置より下流に達する位置に設けられたことを特徴とする。
本発明によれば、装置の一層の小型化を実現できる。
【０００７】
また、本発明は、上記読取装置において、前記第１処理手段の処理結果に基づいて、処理後の動作内容を決定する動作決定手段を備えることを特徴とする。
本発明によれば、処理対象物の処理読取結果に基づいて、その後に実行する動作内容を速やかに決定できる。
【０００８】
また、本発明は、上記読取装置において、前記処理対象物が排出される複数の排出部を備え、前記第２処理手段は、前記処理対象物の搬送経路に繋がる前記排出部を切り替える切替部として構成され、前記処理制御手段は、前記第１処理手段の処理結果に基づいて決定される前記複数の排出部のいずれかに前記読取対象物を排出させるように前記切替部を動作させることを特徴とする。
本発明によれば、処理結果に応じて処理対象物を排出する排出部を切り替えることで、処理対象物を分けて排出できる。
【０００９】
本発明において、前記第１処理手段は、前記処理対象物に画像を記録する記録手段である構成としてもよい。
また、前記第１処理手段は、前記処理対象物に記録された情報を読み取る読み取り部であってもよい。
【００１０】
また、上記目的を達成するために、本発明は、搬送路に沿って処理対象物を搬送し、、前記搬送路に設けられた第１処理手段によって処理を行い、処理結果に基づいて、処理後の動作内容を決定し、決定した動作内容に従って、前記処理対象物の搬送路上で前記第１処理手段の下流に設けられた第２処理手段により、前記処理対象物を処理し、前記第２処理手段の処理が開始される前に、前記処理対象物が前記第２処理手段に達している場合、動作内容を決定した後に、前記第２処理手段の処理位置または処理位置の前まで前記処理対象物を上流に搬送することを特徴とする。
本発明の制御方法を実行することにより、処理対象物の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、搬送路長や各部の配置に関する制約を緩和できるので、装置の小型化が容易になる。
【００１１】
また、上記目的を達成するために、本発明は、搬送路に沿って処理対象物を搬送し、前記搬送路に設けられた第１処理手段によって前記処理対象物に処理を行う媒体処理装置を制御する制御部が実行するプログラムであって、前記制御部を、前記処理対象物の搬送路の前記第１処理手段の下流に設けられた第２処理手段によって、前記第１処理手段の処理結果に基づいて決定された処理後の動作内容に従って前記処理対象物を処理させる処理制御手段と、前記第２処理手段の処理が開始される前に、前記処理対象物が前記第２処理手段に達している場合、前記処理後の動作内容が決定された後に、前記第２処理手段の処理位置または処理位置の前まで前記処理対象物を前記搬送手段によって上流に搬送させる搬送制御手段と、して機能させるためのプログラムである。
本発明のプログラムを実行することにより、処理対象物の処理結果に応じて、その後に実行する動作内容を決定して当該処理を実行する場合に、搬送路の長さや各部の配置の都合によって、その処理を開始するときに処理対象物が処理位置に達していたとしても、処理対象物がいったん上流側に搬送されるので、正規の処理位置から処理を実行できる。これにより、処理装置における搬送路長や各部の配置に関する制約を緩和できるので、処理装置の小型化が容易になる。
また、本発明は、上記プログラムを、上記制御部またはコンピューターにより読み取り可能に記録した記録媒体として実現してもよい。
【発明の効果】
【００１２】
本発明によれば、搬送路の長さや各部の配置の都合によらず、処理結果に応じた処理を正規の処理位置から実行できるので、搬送路長や各部の配置に関する制約を緩和でき、媒体処理装置の小型化が容易になる。
【図面の簡単な説明】
【００１３】
【図１】実施形態に係る媒体処理装置の外観斜視図である。
【図２】媒体処理装置の本体の平面図である。
【図３】媒体処理システムの構成を示す機能ブロック図である。
【図４】小切手の搬送状態を模式的に示す図である。
【図５】媒体処理装置の動作を示すフローチャートである。
【図６】小切手への画像の記録を説明するための小切手を示す図である。
【発明を実施するための形態】
【００１４】
以下、図面を参照して本発明の実施形態について説明する。
図１は、本実施形態に係る媒体処理装置１の外観斜視図である。
媒体処理装置１は、処理対象の媒体であるシート状の小切手や帳票類に対し、この媒体に記録された磁気インク文字の読み取り、媒体の両面の光学的読み取り、及び、当該媒体への文字等の記録（印刷）を行う装置である。また、媒体処理装置１はクレジットカード等のカード型の媒体に記録された磁気情報を読み取るリーダーとしての機能も備える。
【００１５】
本実施形態では、処理対象の媒体の一例として、小切手４を処理する場合を例に挙げて説明する。小切手４は、紙などのシート（用紙）に金額、振出人、通し番号、サインなどが印字または記載された帳票である。金額、振出人、通し番号、サイン等は表面４ａに記録され、裏面４ｂには裏書き欄が設けられていて、記録ヘッド３３（図２）によって裏書き印刷することが可能である。また、表面４ａには小切手４の長辺方向に延びる磁気インク文字列４Ａが形成されている。磁気インク文字列４Ａは、磁気インクで印刷された複数の磁気インク文字（ＭＩＣＲ文字）が並んで構成され、これらの文字により情報を磁気的に記録したものである。磁気インク文字列４Ａは磁気的に読み取ることが可能であり、また、通常の文字として視認できるので光学的に読み取ることもできる。小切手４の短辺方向及び長辺方向のサイズは規格化されており、媒体処理装置１では、一般的な小切手４のサイズをほぼ包含し得る最小サイズ及び最大サイズが規定され、この規定の範囲内の小切手４であれば処理できる。
【００１６】
媒体処理装置１は、本体下部を覆う下部ケース２、及び下部ケース２に被せられるカバー３からなる外装を有する。外装の前面には小切手４を挿入する挿入口６が開口し、挿入口６から本体の奥に向かう部分は複数の小切手４を貯留できるストッカー７となっている。また、カバー３には、上面視で略Ｕ字形状に、小切手４の搬送路となるスリット８が形成され、スリット８は媒体処理装置１の前面側に設けられたポケット９に達している。
ストッカー７に貯留された小切手４は、後述するように１枚ずつ媒体処理装置１の内部に取り込まれ、スリット８を通る間に処理されて、処理後の小切手４はポケット９に排出される。ポケット９には複数の小切手４を溜めることができる。
また、カバー３には、カバー３を開くためのレバー１１と、クレジットカード等のカード類が通されるスリット１２とが設けられている。
【００１７】
図２は、媒体処理装置１の外装内部に収容されている本体１３の構成を示す平面図である。ストッカー７の一側面には略平板状のホッパー１４が回動可能に取り付けられ、例えばアクチュエーターの駆動力によりホッパー１４を回動させるホッパー駆動部１５が配置されている。ホッパー駆動部１５によりホッパー１４が図中矢印方向に回動されると、ストッカー７に収容されている小切手４が他方の側面側に押しつけられる。ストッカー７の他方の側面には、ＡＳＦモーター６２（図３）により駆動されるピックアップローラー１７が配置されている。ホッパー１４によってピックアップローラー１７側に押しつけられた小切手４のうち１枚がピックアップローラー１７に接触し、ピックアップローラー１７の回転により搬送路Ｗに引き込まれる。
ストッカー７の奥には、一対のローラーで構成されるＡＳＦ（Automatically Sheet Feeder）ローラー１９が配置されている。ＡＳＦローラー１９を構成する２つのローラーは、搬送路Ｗの両側に配置され、一方は後述する搬送モーター６３（図３）の動力により回転し、他方のローラーは従動ローラーである。ピックアップローラー１７に接した小切手４はＡＳＦローラー１９に挟まれて、搬送路Ｗの下流へ搬送される。
【００１８】
また、ストッカー７においてホッパー１４が設けられた側の側面には、例えば透過型光センサーで構成され、ストッカー７における小切手４の有無を検出するＡＳＦ用紙検出器１６が設けられている。
このように、ストッカー７、ホッパー１４、ホッパー駆動部１５、ＡＳＦ用紙検出器１６、ピックアップローラー１７及びＡＳＦローラー１９は、複数の小切手４を収容して１枚ずつ繰り出すＡＳＦユニットを構成する。
【００１９】
ＡＳＦローラー１９の下流側には、小切手４の表面４ａに接して磁気インク文字列４Ａ（図１）を磁気的に読み取るＭＩＣＲ（Magnetic Ink Character Recognition）ヘッド２３が配置されている。ＭＩＣＲヘッド２３には、ＭＩＣＲローラー２５が対向配置されている。ＭＩＣＲローラー２５は小切手４をＭＩＣＲヘッド２３に押しつけながら回転し、小切手４を、ＭＩＣＲ文字の読み取りに適した速度で搬送する。ＭＩＣＲヘッド２３の上流側には、ＡＳＦローラー１９により繰り出された小切手４をＭＩＣＲヘッド２３に案内する、一対のローラーからなるアシストローラー２１が配置されている。
【００２０】
また、搬送路Ｗ上においてアシストローラー２１とＭＩＣＲヘッド２３との間には、用紙長検出器２７が配置されている。用紙長検出器２７は、例えば反射型光センサーで構成され、搬送路Ｗ上を通る小切手４の先端及び後端を検出する。用紙長検出器２７の検出値は後述する制御部５０により取得され、この検出値の変化に基づいて小切手４の長さが求められる。
搬送路Ｗ上でＭＩＣＲヘッド２３の下流側には、搬送路Ｗを挟んで対向する一対のローラーを有する搬送ローラー３１が設けられ、搬送ローラー３１によって小切手４は記録ヘッド３３の記録位置へ搬送される。記録ヘッド３３は本体１３の後部に配置され、本体１３の前部に収容されているインクカートリッジ３５からインクの供給を受けて、小切手４にインクを吐出するインクジェット方式の記録ヘッドである。記録ヘッド３３は小切手４の裏面４ｂに対向し、文字や画像を裏書き印刷する。この記録ヘッド３３は、いわゆるラインインクジェットヘッドであり、小切手４に対する記録の際は、一定の速度で搬送される小切手４の裏面４ｂに対して、固定された状態の記録ヘッド３３からインクが吐出されて、画像が記録される。この小切手４の裏面４ｂに記録される画像は、いわゆる裏書きと呼ばれる文字や記号等である。記録ヘッド３３は、記録手段、第１処理手段に相当する。また、記録ヘッド３３の上流側であって、記録ヘッド３３と、搬送ローラー３１との間には、中間検出器３２（センサー）が設けられている。中間検出器３２は、例えば反射型光センサーで構成され、検出位置における小切手４の有無を検出する。
【００２１】
記録ヘッド３３の下流側には、小切手４を光学的に読み取るＣＩＳ（Contact Image Sensor）ユニットが配置されている。媒体処理装置１は、小切手４の表面４ａを読み取る表面ＣＩＳユニット４１と、裏面４ｂを読み取る裏面ＣＩＳユニット４３とが、搬送路Ｗを挟んで対向配置され、これら２つのユニットによって小切手４の両面を読み取り可能である。表面ＣＩＳユニット４１及び裏面ＣＩＳユニット４３の上流側と下流側には搬送ローラーが配置され、読み取り中の小切手４を安定して搬送する。
【００２２】
表面ＣＩＳユニット４１、裏面ＣＩＳユニット４３の下流側には上述したポケット９が設けられている。ポケット９は、メインポケット９ａ（排出部）と、サブポケット９ｂ（排出部）とに区画されており、それぞれに複数の小切手４を収容できる。メインポケット９ａとサブポケット９ｂの各々には搬送路Ｗから繋がる搬送経路が形成され、この搬送経路を切り替える切替板４５が配置されている。切替板４５は、メインポケット９ａに繋がる経路とサブポケット９ｂに繋がる経路のいずれか一方を塞ぐことで小切手４を他方に案内するガイドであり、切替板駆動部６１（図３）によって駆動される。切替板４５からメインポケット９ａに繋がる経路には排出ローラー４７が設けられ、切替板４５からサブポケット９ｂに繋がる経路には排出ローラー４９が設けられており、切替板４５により案内された小切手４をスムーズにポケット９に排出する。切替板４５は、切替板駆動部６１とともに第２処理手段、切替部として機能する。
【００２３】
媒体処理装置１は、裏書き等の記録（印刷）に成功した小切手４をメインポケット９ａに排出し、記録に失敗した小切手４をサブポケット９ｂに排出する。メインポケット９ａ及びサブポケット９ｂの各々には、後述する排出紙検出器６４（図３）が設けられる。排出紙検出器６４は、例えば透過型光センサーで構成され、メインポケット９ａ及びサブポケット９ｂにおける小切手４の有無を検出する。
また、ストッカー７の側方にはＭＣＲ（Magnetic Card Reader）ヘッド４６が設けられている。ＭＣＲヘッド４６は、スリット１２（図１）を通るカード類に磁気的に記録された情報を読み取る磁気ヘッドである。
【００２４】
図３は、媒体処理装置１とホストコンピューター５とを接続して構成される媒体処理システム１０の機能的構成を示すブロック図である。
媒体処理装置１は、媒体処理装置１全体を制御するＣＰＵ、ＲＡＭ、フラッシュＲＯＭ等により構成される制御部５０と、ヘッド駆動回路５５、モータードライバー５６、読取制御回路５７、センサー駆動回路５８、及びインターフェース部（Ｉ／Ｆ）５９を有し、これらの各部は相互に通信可能に接続されている。
【００２５】
制御部５０は、フラッシュＲＯＭに記憶されている制御プログラムをＣＰＵにより読み出して実行することにより、媒体処理装置１の各部を制御する。制御部５０は、ＲＡＭを備え、ＣＰＵが実行するプログラム及び処理対象のデータを一時的に保持するメモリーである。また、制御部５０は、記録制御部５０Ｂ（記録制御手段）が備えられ、画像バッファー５３が接続されている。
【００２６】
ヘッド駆動回路５５は、制御部５０の制御に従って記録ヘッド３３に駆動電流を供給し、小切手４への印刷を実行させる。モータードライバー５６は、ホッパー駆動部１５に接続され、制御部５０の制御に従ってホッパー駆動部１５を動作させる。また、モータードライバー５６は、切替板駆動部６１、ＡＳＦモーター６２、及び搬送モーター６３に接続され、これら各モーターに駆動電流や駆動パルスを出力して、制御部５０の制御に従い各モーターを動作させる。
【００２７】
読取制御回路５７は、ＭＩＣＲヘッド２３、表面ＣＩＳユニット４１、裏面ＣＩＳユニット４３、及びＭＣＲヘッド４６に接続されている。読取制御回路５７は、制御部５０の制御に従って、スリット１２（図１）にカード類が通される際にＭＣＲヘッド４６によって磁気情報を読み取らせ、ＭＣＲヘッド４６が出力する読取信号をデジタル化して制御部５０に出力する。同様に、読取制御回路５７は、制御部５０の制御に従ってＭＩＣＲヘッド２３によって磁気情報を読み取らせ、ＭＩＣＲヘッド２３が出力する読取信号をデジタル化して制御部５０に出力する。また、読取制御回路５７は、制御部５０の制御に従って、表面ＣＩＳユニット４１及び裏面ＣＩＳユニット４３に駆動電流を出力して、小切手４の表面４ａ及び裏面４ｂの読み取りを実行させる。この際、表面ＣＩＳユニット４１及び裏面ＣＩＳユニット４３の各々から出力される信号をデジタルデータ化し、制御部５０に出力する。
センサー駆動回路５８は、ＡＳＦ用紙検出器１６、用紙長検出器２７、中間検出器３２及び排出紙検出器６４に接続され、これらの各検出器に電流を供給して、所定周期で出力値を取得し、取得した出力値をデジタルデータに変換して制御部５０に出力する。
インターフェース部５９は、ホストコンピューター５に対して有線または無線で接続され、制御部５０の制御に従って、ホストコンピューター５との間で制御データを含む各種データを送受信する。
【００２８】
以上の構成において、ホッパー駆動部１５、ＡＳＦモーター６２及び搬送モーター６３の各駆動部は、ホッパー１４、ピックアップローラー１７、ＡＳＦローラー１９、ＭＩＣＲローラー２５、搬送ローラー３１及び排出ローラー４７とともに搬送手段を構成する。
【００２９】
制御部５０は、制御プログラムを実行することにより、搬送制御部５０Ａ、記録制御部５０Ｂ、動作決定部５０Ｃ、処理制御部５０Ｄ、及びサイズ検出部５０Ｅの機能を実現する。
搬送制御部５０Ａ（搬送制御手段）は、モータードライバー５６を介してホッパー駆動部１５、ＡＳＦモーター６２、及び搬送モーター６３を制御して、小切手４の搬送を制御する。例えば、搬送制御部５０Ａは、小切手４を媒体処理装置１が処理している間に、ストッカー７（図１）に貯留された次の小切手４の搬送を開始するか否かを判定し、次の小切手４の処理が可能になると、ホッパー駆動部１５及びＡＳＦモーター６２を動作させて次の小切手４をピックアップし、搬送路Ｗに搬送する。
また、搬送制御部５０Ａは、処理制御部５０Ｄが切替板駆動部６１を制御して切替板４５を移動させる際に、既に小切手４が切替板４５の位置に達している場合、搬送モーター６３を逆転動作させて、小切手４を逆方向（上流側）に搬送させる。これにより小切手４は、切替板４５の位置またはそれより上流に移動するので、切替板４５を移動させることで、メインポケット９ａまたはサブポケット９ｂのいずれか指定された側に排出できるようになる。
【００３０】
図４は、小切手４の搬送状態を模式的に示す図であり、（Ａ）は小切手４への記録が終了した状態を示し、（Ｂ）は小切手４の排出までの搬送状態の変化を示す。
図４（Ａ）及び（Ｂ）において、水平軸は搬送路Ｗ上の位置を示している。図中、位置（１）〜（５）は搬送路Ｗ上の処理位置を示している。具体的には、位置（１）はＡＳＦ用紙検出器１６が小切手４を検出する位置であり、位置（２）はＭＩＣＲヘッド２３が磁気読取を行う読取位置であり、位置（３）は記録ヘッド３３がインクを吐出して記録を行う記録位置であり、位置（４）は表面ＣＩＳユニット４１及び裏面ＣＩＳユニット４３が光学的読取を行う読取位置であり、位置（５）は切替板４５による切替位置である。
【００３１】
小切手４は、最初にＡＳＦ用紙検出器１６により検出されて、ピックアップローラー１７により搬送路Ｗに送り出され、その後は搬送モーター６３の駆動力によって、位置（２）〜（４）を通過し、位置（５）で切替板４５によってメインポケット９ａまたはサブポケット９ｂに導かれる。ところが、搬送路Ｗ上における各処理位置の間隔が、小切手４の搬送方向の長さに対して短い場合には、小切手４は、上流側の処理の途中で、下流側の処理位置に到達してしまう。上流側の処理が記録ヘッド３３による記録処理である場合、図４（Ａ）に示すように、小切手４は、記録ヘッド３３による記録動作が終わった時点で位置（５）を超えてしまう。図４（Ａ）では、小切手４の搬送方向後端が位置（３）に達した状態で、小切手４の先端部分（図中、破線で囲まれた部分）が位置（５）を超えている。この状態では、切替板４５を移動させても小切手４の排出先を切り替えることはできない。
【００３２】
図４（Ａ）に示す例は、記録の処理位置である位置（３）と、排出先のポケットの切替を行う処理位置である位置（５）との間の距離が影響しているが、他の処理位置でも同様の問題が起こりえる。例えば、小切手４の光学読取が終わった時点では小切手４の後端が位置（４）にあるが、このとき小切手４の先端が位置（５）に達してしまう。この場合、光学読取の結果に応じて、メインポケット９ａまたはサブポケット９ｂに排出するとしても、既に位置（５）の切替板４５を切替えることはできない。
【００３３】
そこで本実施形態では、搬送制御部５０Ａの制御により、小切手４をいったん逆方向に搬送（バックフィード）することで、処理位置間の距離が短くても、定められた順で小切手４を処理できる。
搬送制御部５０Ａは、図４（Ｂ）に示すように、小切手４への記録が完了するまで小切手４を正方向（下流側）に搬送する（Ｓ１）。ここで、搬送制御部５０Ａは、切替板４５によって小切手４の排出先を切り替えできるように、いったん小切手４をバックフィードする（Ｓ２）。搬送制御部５０Ａは、少なくとも小切手４の先端が位置（５）または位置（５）の上流に来るまでバックフィードする。そして、処理制御部５０Ｄにより切替板４５が移動された後、搬送制御部５０Ａは、小切手４を正方向すなわちポケット９に向けて搬送する（Ｓ３）。これにより、位置（３）における記録処理が完了した後で、切替板４５によって小切手４の排出先のポケットを切り替えることができる。
【００３４】
搬送制御部５０Ａが小切手４をバックフィードさせる量は、媒体処理装置１で処理可能な小切手４のサイズ（搬送方向の長さ）と、搬送路Ｗ上の各処理位置の間隔により決定される。バックフィード量は、例えば、予め設定され、制御部５０が備える不揮発性メモリー（図示略）等に記憶される規定値である。この場合、媒体処理装置１で使用可能な小切手４のサイズの最大値を基準とし、この最大の小切手４を使用した場合に、バックフィードにより小切手４の先端が処理位置または処理位置より上流に来る量が、バックフィード量として設定される。具体的には、小切手４の最大サイズ（長さ）と、位置（３）と位置（５）との間隔により求められる。
【００３５】
動作決定部５０Ｃ（動作決定手段）は、記録制御部５０Ｂが小切手４への記録に成功したか否かの結果に基づいて、小切手４に対して実行する動作内容を決定する。具体的には、動作決定部５０Ｃは、記録制御部５０Ｂが小切手４への記録に成功した場合には、その小切手４に対する動作内容として、メインポケット９ａへの排出に決定する。また、記録制御部５０Ｂが小切手４への記録に失敗した場合には、その小切手４に対する動作内容を、サブポケット９ｂへの排出に決定する。
【００３６】
処理制御部５０Ｄ（処理制御手段）は、動作決定部５０Ｃが決定した小切手４に対する動作内容を実現するための制御を行う。具体的には、切替板駆動部６１を駆動して切替板４５を移動させ、決定された側のポケットを搬送路Ｗに連通させる。
サイズ検出部５０Ｅは、センサー駆動回路５８を介して用紙長検出器２７の出力値を取得し、用紙長検出器２７が小切手４の先端を検出してから後端を検出するまでの搬送モーター６３による搬送量に基づいて、小切手４の長手方向すなわち搬送方向のサイズを検出する。
【００３７】
図５は、媒体処理装置１の動作を示すフローチャートである。
制御部５０は、ホストコンピューター５から送信された小切手４の処理開始を指示するコマンドを受信して（ステップＳ１１）、小切手４の処理を開始する。制御部５０は、ＡＳＦ用紙検出器１６の検出値に基づいてストッカー７に小切手４があるか否かを判別し（ステップＳ１２）、小切手４がない場合は（ステップＳ１２；Ｎｏ）、小切手４がセットされるまで待機する。小切手４がストッカー７にある場合（ステップＳ１２；Ｙｅｓ）、搬送制御部５０Ａは、ホッパー駆動部１５及びＡＳＦモーター６２を動作させて、ストッカー７内の小切手４の供給（搬送）を開始する（ステップＳ１３）。搬送制御部５０Ａは、ＡＳＦローラー１９及びアシストローラー２１により小切手４を用紙長検出器２７まで搬送し（ステップＳ１４）、小切手４の先端が検出されると（ステップＳ１４；Ｙｅｓ）、サイズ検出部５０Ｅがサイズの検出を開始するとともに、制御部５０がＭＩＣＲヘッド２３によるＭＩＣＲ文字列の読取を開始する（ステップＳ１５）。
サイズ検出部５０Ｅは、用紙長検出器２７により小切手４の後端が検出されるまで待機し（ステップＳ１６）、小切手４の後端が検出されると（ステップＳ１６；Ｙｅｓ）、小切手４のサイズを確定する（ステップＳ１７）。
【００３８】
制御部５０は、ＭＩＣＲヘッド２３による読取結果を取得して、インターフェース部５９を介してホストコンピューター５へ転送し、ホストコンピューター５におけるＭＩＣＲ文字列の解析を実行させる（ステップＳ１８）。その後、記録制御部５０Ｂは、小切手４に対して記録ヘッド３３による記録を行う（ステップＳ１９）。
【００３９】
そして、制御部５０は、表面ＣＩＳユニット４１及び裏面ＣＩＳユニット４３によるスキャンを開始し（ステップＳ２０）、ホストコンピューター５への読取画像データの送信を開始する（ステップＳ２１）。
【００４０】
制御部５０は、記録ヘッド３３による小切手４への記録に成功したか否かを認識する（ステップＳ２２）。小切手４への記録に成功した場合（ステップＳ２２；Ｙｅｓ）、動作決定部５０Ｃは、小切手４の排出先をメインポケット９ａに決定する（ステップＳ２３）。すなわち、小切手４に対する動作内容を、メインポケット９ａへの搬送に決定する。また、小切手４への記録に失敗した場合（ステップＳ２２；Ｎｏ）、動作決定部５０Ｃは、小切手４の排出先をサブポケット９ｂに決定する（ステップＳ２４）。すなわち、小切手４に対する動作内容をサブポケット９ｂへの搬送に決定する。
【００４１】
処理制御部５０Ｄは、ステップＳ２３またはＳ２４で決定された動作内容に従って切替板４５を移動させるため、まず、搬送制御部５０Ａにより小切手４をバックフィードさせる（ステップＳ２５）。次いで、処理制御部５０Ｄは、ステップＳ２３またはＳ２４で決定された内容に従って切替板４５を移動させ（ステップＳ２６）、搬送制御部５０Ａが小切手４をポケット９まで搬送する。これにより、小切手４は、小切手４への記録に成功した場合はメインポケット９ａに排出され、小切手４への記録に失敗した場合はサブポケット９ｂに排出される。
これにより、小切手４への記録が成功した場合は、正常な小切手４としてメインポケット９ａに排出され、小切手４への記録が失敗した場合は、正常に処理されなかった小切手４としてサブポケット９ｂに排出される。つまり、小切手４は、小切手４への記録結果に基づいて、メインポケット９ａとサブポケット９ｂに分けて排出される。
【００４２】
以上のように、本発明を適用した実施形態に係る媒体処理装置１、及び媒体処理装置１を備えた媒体処理システム１０によれば、ホッパー駆動部１５、ＡＳＦモーター６２、搬送モーター６３、ピックアップローラー１７、ＡＳＦローラー１９、ＭＩＣＲローラー２５、搬送ローラー３１及び排出ローラー４７を有し、小切手４を搬送する搬送手段と、小切手４の搬送路Ｗに設けられ、搬送される小切手４に記録を行なう第１処理手段としての記録ヘッド３３と、搬送路Ｗ上で記録ヘッド３３の下流に設けられた第２処理手段としての切替板４５と、記録ヘッド３３による記録結果に基づいて動作決定部５０Ｃにより決定された動作内容に従って、切替板４５によって小切手４を処理させる処理制御部５０Ｄと、動作内容が決定された後に、切替板４５の処理位置または処理位置の前まで小切手４を上流側に搬送させる搬送制御部５０Ａとを備え、小切手４への記録結果に応じて、その後に実行する動作内容を決定して当該処理を実行する場合に、搬送路Ｗの長さや各部の処理位置の都合によって、その処理を開始するときに小切手４が処理位置に達していたとしても、小切手４をいったん上流に搬送することで、正規の処理位置から処理を実行できる。これにより、搬送路長や各部の配置に関する制約を緩和できるので、媒体処理装置１の小型化が容易になる。
また、媒体処理装置１が備える第１処理手段及び第２処理手段は、記録ヘッド３３及び切替板４５に限定されず、例えば、第１処理手段としてＭＩＣＲヘッド２３を使用し、この読取結果に基づいて、第２処理手段としての切替板４５の処理内容を決定してもよいし、第２処理手段として表面ＣＩＳユニット４１及び裏面ＣＩＳユニット４３を使用し、これらによる読取処理の内容を第１処理手段の処理結果に基づいて決定してもよい。さらに、搬送路Ｗ上にその他の処理部を設け、この処理部を第１または第２処理手段として用いることも勿論可能である。
【００４３】
［記録の動作および正否について］
次いで、記録ヘッド３３による小切手４への記録について詳細に説明する。
小切手４への画像の記録に際し、まず、ホストコンピューター５から媒体処理装置１に対して、小切手４への所定の画像の記録を指示する制御コマンドが入力される。この制御コマンドには、小切手４に記録すべき画像の画像データ（ビットマップデータ等の、画素ごとに色に関する情報を保持するデータ）が含まれている。
制御コマンドが入力されると、記録制御部５０Ｂは、当該制御コマンドに含まれる画像データを画像バッファー５３に展開し、展開した画像データに基づいて以下のようにして画像を記録する。
【００４４】
図６は、小切手４への画像の記録時の動作の説明に利用する図であり、小切手４の裏面４ｂ（画像が記録される側の面）を模式的に示している。
図６に示す小切手４では、左側の端が先端４ｄであり、右側の端が後端４ｅであり、搬送路Ｗにおいて、小切手４は、搬送方向ＹＪ１（搬送路Ｗにおいてストッカー７からポケット９へ向かう方向）に搬送されるものとする。
ここで、記録ヘッド３３では、搬送方向ＹＪ１と交わる方向のノズル列方向ＹＪ２（＝搬送される小切手４の短手方向）に複数のノズルが延在して形成された１又は複数のノズル列が形成されている。
画像の記録に際し、搬送制御部５０Ａは、搬送モーター４２や、その他の機構を駆動して、小切手４を、図６の搬送方向ＹＪ１に一定の速度で搬送する。そして、記録制御部５０Ｂは、搬送方向ＹＪ１へ搬送される小切手４に、画像バッファー５３に展開した画像データに基づいて、所定のタイミングで、ノズル列の所定のノズルから、所定量のインクを吐出することにより、小切手４の裏面４ｂにドットの組み合わせからなる画像を記録する。
【００４５】
ここで、小切手４への画像の記録において、小切手４への記録のためにホストコンピューター５から媒体処理装置１に入力される画像データが示す画像の搬送方向ＹＪ１における長さ（以下、「画像長Ｌ１」という。）は、通常、小切手４の搬送方向ＹＪ１における長さ以下とされる。しかしながら、小切手４の搬送方向ＹＪ１における長さを超える画像長Ｌ１の画像データがホストコンピューター５から媒体処理装置１に入力される、あるいは、画像データの画像長Ｌ１より短い長さの小切手４が搬送されることがある。この場合、媒体処理装置１は、ホストコンピューター５から入力された制御コマンドに基づいて、小切手４を搬送方向ＹＪ１に搬送しつつ、記録ヘッド３３のノズル列からインクを吐出することにより、画像の記録を行なうが、記録制御部５０Ｂは、小切手４の後端４ｅでインクの吐出を禁止し、記録処理を終了する。そして、小切手４への記録が失敗したとして、動作決定部５０Ｃは、小切手４の排出先をサブポケット９ｂに決定する。また、上記以外の場合、動作決定部５０Ｃは、小切手４への記録が成功したとして、小切手４の排出先をサブポケット９ａに決定する。なお、小切手４の搬送方向ＹＪ１における長さは、小切手４の搬送中における用紙長検出器２７の検出値に基づき、サイズ検出部５０Ｅが算出することができる。
【００４６】
また、次のように、中間検出器３２を用いることによって、記録処理の成功か失敗を認識し、動作決定部５０Ｃによる動作決定を行なうことも可能である。
記録ヘッド３３の上流に設けられた中間検出器３２によって、搬送されてくる小切手４の先端４ｄが検出され、その後、小切手４は所定の距離を搬送される。所定の距離を搬送された小切手４への印刷処理が、記録ヘッド３３により開始される。そして、小切手４への記録と搬送が進み、中間検出器３２によって小切手４の後端４ｅが検出された後、小切手４が所定の距離を搬送された時点で、記録制御部５０Ｂは、小切手４への印刷処理を終了する。この終了時点で、記録処理が完了していない（小切手４に記録されなかった）画像データがある場合、動作決定部５０Ｃは、小切手４への記録が失敗したとして、小切手４の排出先をサブポケット９ｂに決定し、記録処理が完了していない画像データがない場合、動作決定部５０Ｃは、記録が成功したとして、小切手４の排出先をメインポケット９ａに決定する。ここで、所定の距離は、中間検出器３２と記録ヘッド３３の搬送路Ｗの距離である。また、小切手４における記録領域が予め決められている場合は、小切手４の先端４ｄが検出されてから搬送される所定の距離は、中間検出器３２と記録ヘッド３３の搬送路Ｗの距離に小切手４の先端４ｄから記録領域の先端までの長さを加えたものであり、小切手４の後端４ｅが検出されてから搬送される所定の距離は、中間検出器３２と記録ヘッド３３の搬送路Ｗの距離から、小切手４の後端４ｅから記録領域の後端までの長さを引いたものとなる。
【００４７】
なお、上記各実施形態は本発明を適用した一具体例を示すものであり、本発明はこれに限定されるものではない。例えば、媒体処理システム１０において、媒体処理装置１が処理する処理対象物は小切手４に限定されないし、媒体処理装置１で使用可能な処理対象物のサイズについても任意に変更できる。また、上記各実施形態では、制御部５０が小切手４への記録に成功したか否かの結果に基づいて、小切手４に対して実行する動作内容を決定する動作決定部５０Ｃを媒体処理装置１が有する構成として説明したが、この機能を、所定のプログラムに従ってホストコンピューター５が実行する構成としてもよい。また、上記各実施形態では、ＭＩＣＲヘッド２３が読み取ったデータに基づく磁気インク文字列４Ａの解析と、表面ＣＩＳユニット４１及び裏面ＣＩＳユニット４３の読取画像データに基づくＯＣＲ処理とを、ホストコンピューター５が実行する構成として説明したが、これらの処理を制御部５０が実行してもよい。また、画像データが示す画像の長さ（画像長）と、用紙長検出器２７によって確定される小切手４の長さとの比較は、ホストコンピューター５が実行しても、制御部５０が実行してもよい。また、ホストコンピューター５と媒体処理装置１とが同一の装置に組み込まれ、制御部５０がホストコンピューター５の制御部と共通する構成としてもよい。また、ポケット９が備えるポケットはメインポケット９ａとサブポケット９ｂの２つに限定されず、より多くのポケットに分かれていてもよく、動作決定部５０Ｃが決定する動作内容がメインポケット９ａとサブポケット９ｂの切替でない場合には、ポケット９を一つのポケットで構成してもよい。
【００４８】
また、図３のブロック図に示した各機能部は機能的構成を示すものであって、各機能部を独立したハードウェアにより構成する必要はなく、ソフトウェアとハードウェアとの協働により、複数の機能部の機能を１つのハードウェアに集約して実現することも、一つの機能部を複数のハードウェアにより実現することも勿論可能である。
また、媒体処理装置１が備える記録手段としては、インクジェット式の記録ヘッド３３を用いる構成に限定されず、サーマルラインプリンター、ドットインパクト式プリンター、レーザープリンター、熱昇華型プリンター等を用いることも可能である。また、上述の動作を行う制御部５０のＣＰＵが実行するプログラムは、制御部５０を構成する不揮発性メモリーが記憶する構成に限らず、可搬型の記録媒体に記憶されている構成であってもよいし、或いは、通信回線を介して接続された他の装置にダウンロード可能に記憶され、これらの装置から媒体処理装置１が上記プログラムをダウンロードして実行してもよく、その他の構成についても任意に変更可能である。
【符号の説明】
【００４９】
１…媒体処理装置、４…小切手（処理対象物）、５…ホストコンピューター（外部装置）、７…ストッカー、９…ポケット、９ａ…メインポケット（排出部）、９ｂ…サブポケット（排出部）、１０…媒体処理システム、１３…本体、１６…ＡＳＦ用紙検出器、２３…ＭＩＣＲヘッド（読取部）、２７…用紙長検出器、３１…搬送ローラー（搬送手段）、３３…記録ヘッド、４１…表面ＣＩＳユニット（読取部）、４３…裏面ＣＩＳユニット（読取部）、４５…切替板、５０…制御部、５０Ａ…搬送制御部（搬送制御手段）、５０Ｂ…記録制御部、５０Ｃ…動作決定部（動作決定手段）、５０Ｄ…処理制御部（処理制御手段）、５０Ｅ…サイズ検出部、６１…切替板駆動部、６３…搬送モーター（搬送手段）、Ｗ…搬送路。
【図１】
0005811745.tif 000002
【図２】
0005811745.tif 000003
【図３】
0005811745.tif 000004
【図４】
0005811745.tif 000005
【図５】
0005811745.tif 000006
【図６】
0005811745.tif 000007